(57)【特許請求の範囲】
【請求項１】
容器の口部に取り外し可能にねじ付けられる装着筒と、該装着筒によって前記容器に装着されるポンプ機構とを備える容器用吐出器であって、
装着筒の下端部を、工具を嵌める外観形状を有した嵌め合い部に構成し、当該装着筒をポンプ機構に対して回転可能にするとともに、
当該ポンプ機構の上端部材に、嵌め合い部を残して装着筒を取り囲むカバーを設けたことを特徴とする容器用吐出器。
【請求項２】
請求項１において、前記工具は、嵌め合い部に嵌合するプレート部に、前記カバーを取り囲むように延在するとともに末端に前記カバーを通す開口部が形成された帯状をなすバンド部が基部を介して一体に設けられたものであることを特徴とする容器用吐出器。
【請求項３】
請求項２において、前記バンド部の内周面に、周方向に間隔を置いて複数の縦リブを設けたことを特徴とする容器用吐出器。
【請求項４】
請求項２又は３において、前記工具に、把持部を設けたことを特徴とする容器用吐出器。
【発明の詳細な説明】
【技術分野】
【０００１】
本発明は、容器に対して取り外し可能にねじ付けられる容器用吐出器に関するものである。
【背景技術】
【０００２】
本願出願人は、従来の容器用吐出器として、店頭での陳列やホテル等の施設に据え置かれるときに、内容物が入れ替えられたり、抜き取られる等の悪戯を想定し、こうした不正使用を防止する対策としてラチェット機構を採用したものを提案済みである（例えば、特許文献１参照）。
【先行技術文献】
【特許文献】
【０００３】
【特許文献１】特願２００４−３４４８２２号公報
【発明の概要】
【発明が解決しようとする課題】
【０００４】
しかしながら、様々なニーズに応じて、新たな容器用吐出器を提案していくことが重要であることも事実である。
【０００５】
本発明の目的とするところは、不正使用による着脱が困難な安全性の高い新規な容器用吐出器を提供することにある。
【課題を解決するための手段】
【０００６】
本発明は、容器の口部に取り外し可能にねじ付けられる装着筒と、該装着筒によって前記容器に装着されるポンプ機構とを備える容器用吐出器であって、装着筒の下端部を、工具を嵌める外観形状を有した嵌め合い部に構成し、当該装着筒をポンプ機構に対して回転可能にするとともに、当該ポンプ機構の上端部材に、嵌め合い部を残して装着筒を取り囲むカバーを設けたことを特徴とするものである。
【０００７】
前記工具は、嵌め合い部に嵌合するプレート部に、前記カバーを取り囲むように延在するとともに末端に前記カバーを通す開放部が形成された帯状をなすバンド部が基部を介して一体に設けられたものとすることができる。またバンド部の内周面には、周方向に間隔を置いて複数の縦リブを設けることができる。また、工具には、把持部を設けることができる。
【発明の効果】
【０００８】
本発明では、装着筒の下端部を、工具を嵌める外観形状を有した嵌め合い部に構成し、当該装着筒をポンプ機構に対して回転可能にするとともに、当該ポンプ機構の上端部材に、嵌め合い部を残して装着筒を取り囲むカバーを設けたことで、嵌め合い部に適合する工具を持たない第三者は、装着筒を直接回転させることができない。これに対し、工具を所持する管理者は、カバーの下側から工具を差し入れることで、装着筒を容器に対して回転させることができる。
【０００９】
従って、本発明によれば、不正使用による着脱が困難な安全性の高い新規な容器用吐出器を提供することができる。
【図面の簡単な説明】
【００１０】
【図１】本発明である容器用吐出器の一実施形態であって、容器に装着した状態を一部断面で示す側面図である。
【図２】図１の要部拡大図である。
【図３】（ａ）は、同形態に係る、装着キャップの平面図であり、（ｂ）は、同形態である吐出器を容器に取り付け又は取り外す際に用いられる工具の一例を示す平面図である。
【図４】（ａ）は、同図（ｂ）をＡ−Ａ断面で見た矢視平面図であり、（ｂ）は、図３（ｂ）をＡ−Ａ断面で見た矢視斜視図である。
【図５】（ａ）は、同形態の取り付け又は取り外しを、例示の工具を用いて行うときの操作方法であって、工具を嵌合させる前の状態を示す平面図であり、（ｂ）は、工具を嵌合させた後の状態を示す平面図である。
【図６】同形態において、例示の工具を嵌合させた状態を示す要部側面図である。
【発明を実施するための形態】
【００１１】
以下、図面を参照して、本発明の一実施の形態を詳細に説明する。
【００１２】
図１中、符号１０は、本発明の一形態である容器用吐出器である。容器用吐出器（以下、「吐出器」）１０は、ユニット化されており、符号１１は、装着キャップ（装着筒）である。装着キャップ１１は、容器５０の口部５１を周方向に取り囲む周壁１１ａを有する。周壁１１ａの内側には、ねじ部１１ｓが形成されている。これにより、装着キャップ１１は、口部５１に形成したねじ部５０ｓに対して取り外し可能にねじ付けられる。なお、本形態では、周壁１１ａに、ローレット等の凹凸が形成されているが、本発明に従えば、滑らかな表面で構成することもできる。
【００１３】
符号Ｐは、装着キャップ１１の内側に配置されるポンプ機構である。ポンプ機構Ｐは、シリンダ１２を有する。シリンダ１２には、吸入パイプ１３が固定されている。シリンダ１２の内側には、ポペット１４が配置されている。ポペット１４の内側には、吸入パイプ１３を通して容器５０から吸入された内容液を導入する吸入弁１４ａが設けられている。本形態では、吸入弁１４ａは、３つの連結片を介して弾性保持された弾性弁で構成されている。また、ポペット１４には、吸入弁１４ａから導入された内溶液をシリンダ１２内に導入する開口通路ｒ１が形成されている。開口通路ｒ１は軸線Ｏ周りに間隔を置いて複数の箇所に形成されている。シリンダ１２内には、スプリング等の弾性部材１５が配置されている。弾性部材１５は、ポペット１４を介してピストン１６を弾支する。ピストン１６は、シリンダ１２の内側に摺動可能に配置されている。ピストン１６には、ステムシャフト１６ａが一体に設けられている。
【００１４】
シリンダ１２の上端開口は、ポンプリング１７によって閉じられている。ポンプリング１７は、ポンプ機構Ｐの上端部材（リング部材）であって、その内側にステムシャフト１６ａを摺動可能に保持している。これにより、ポンプリング１７は、複数のポンプ要素の収納空間を形成する。また、ポンプリング１７を貫通するステムシャフト１６ａには、ノズルヘッド１８が固定されている。ステムシャフト１６ａには、開口通路ｒ１をノズルヘッド１８に通じさせる流路ｒ２が形成されている。更に、ステムシャフト１６ａの内側には、排出弁１９が配置されている。これにより、ポンプ機構Ｐが形成され、ヘッド１８ａの押し下げと復帰を繰り返せば、ノズル１８ｂから内容液を吐出させることができる。
【００１５】
ポンプリング１７は、図２に示すように、シリンダ１２の内周面に嵌合する内筒部１７ａを有する。内筒部１７ａは、上述のとおり、ステムシャフト１６ａを摺動可能に保持する。また、ポンプリング１７は、内筒部１７ａと同心円状に外筒部１７ｂを有する。内筒部１７ａと外筒部１７ｂとの間には、シリンダ１２の上端部１２ａが配置されている。上端部１２ａは、抜け止め部Ｃによってポンプリング１７の外筒部１７ｂに抜け止め保持されている。抜け止め部Ｃとしては、例えば、図示のように、上端部１２ａの外周面に形成された環状の凸（凹）と、外筒部１７ｂの内周面に形成された環状の凹（凸）とを上下方向から嵌合させた凹凸嵌合が挙げられる。また、シリンダ１２の上端部１２ａは、回り止め部Ｓによってポンプリング１７の内筒部１７ａに対して回り止めされている。回り止め部Ｓとしては、例えば、図示のように、上端部１２ａの内周面に沿って周方向に形成した縦リブ（スプライン（溝））と、ポンプリング１７の内筒部１７ａの外周面に沿って周方向に形成した縦リブ（スプライン溝（スプライン））との噛み合いによるスプライン嵌合が挙げられる。これにより、シリンダ１２とポンプリング１７は、互いに軸線Ｏ周りを空転することなく、一体に結合される。
【００１６】
一方、シリンダ１２には、軸線Ｏ周りを周回する環状のフランジ１２ｂが一体に形成されている。また、本形態では、フランジ１２ｂには、パッキン等の環状のシール部材２０が設けられている。シール部材２０は、吐出器１０を容器口部５１に取り付けたとき、吐出器１０と容器口部５１との間を密封する。
【００１７】
また、フランジ１２ｂには、装着キャップ１１の天壁１１ｂが摺動可能に保持されている。これにより、装着キャップ１１は、ポンプ機構Ｐに対して軸線Ｏ周りに回転することができる。また、装着キャップ１１の下端部は、工具を嵌める外観形状を有した嵌め合い部２１に構成されている。嵌め合い部２１は、径方向に突き出した多数の平面２１ａで構成された外観形状を有する。本形態では、図３（ａ）に示すように、８つの面２１ａで構成された角柱状の外観形状を有する。これにより、八角スパナ等の嵌め合い部２１の外観形状に合った工具を嵌めて軸線Ｏ周りに回せば、装着キャップ１１を容器５０の口部５１にねじ付け、又は、緩めることができる。なお、図３（ａ）中、符号「２１ａ」を例示的に五箇所のみ付記している。
【００１８】
加えて、図１に示すように、ポンプリング１７には、嵌め合い部２１を残して装着キャップ１１を取り囲むカバー２２が一体に垂下する。カバー２２には肩部２２ａが形成されている。肩部２２ａからは、環状の筒体部２２ｂが一体に垂下する。カバー２２は、肩部２２ａよりも上端側に、ねじ部２３が形成されている。ねじ部２３は、ノズルヘッド１８の内側に形成されたねじ部１８ｓに取り外し可能にねじ付けることができる。また、カバー２２の下端２２ｅ側は、嵌め合い部２１を残して、装着キャップ１１を隠している。加えて、嵌め合い部２１は、カバー２２よりも径方向内側にある。これにより、如何なる者も、装着キャップ１１を直接操作することができない。
【００１９】
このため、本形態では、図３（ｂ）及び図４に示す工具３０を用いる。工具３０は、図３（ｂ）に示すように、プレート部３１を有する。プレート部３１には、切欠き部３０ｃが形成されている。切欠き部３０ｃは、嵌め合い部２１の平面２１ａに対応する５つの平面３１ａで形作られている。従って、プレート部３１を嵌め合い部２１に差し込めば、工具３０は、装着キャップ１１に一体に固定される。これにより、工具３０を軸線Ｏ周りに時計回り又は反時計回りに回転させれば、吐出器１０を容器１０に対してねじ付け、或いは、取り外すことができる。
【００２０】
加えて、本形態では、図４（ａ）に示すように、プレート部３１に基部３２を介してバンド部３３が一体に設けられている。バンド部３３は、図３（ｂ）に示すように、カバー２２を取り囲むように軸線Ｏ周りに延在し、バンド部３３の末端３３ｅは、カバー２２を通す開放部３０Ａを形成する。また、バンド部３３は、基部３２に固定された部分３３ａが不動部分となる一方、基部３２から末端３３ｅまでの間の部分が自由端３３ｂとしてなる。自由端３３ｂは、基部３２を基点に変形及び復元することができる。更に、固定部分３３ａには、把持部３５が設けられている。これにより、図５（ａ）に示すように、工具３０を開放部３０Ａから押し込めば、図５（ｂ）に示すように、バンド部３３の内側にカバー２２を固定することができ、その後、工具３０を引っ張れば、カバー２２から引き外すことができる。なお、図５において、カバー２２は、二点鎖線で示す。
【００２１】
図６は、容器５０に装着された吐出器１０に工具３０を嵌合させた状態を示す。このように、本形態は、バンド部３３がカバー２２を包み込むように把持するため、工具３０全体を握って工具３０を回せば、工具３０は、カバー２２の外周面に沿って滑らせることができる。このため、工具３０をカバー２２の下側から差し込んだのち、カバー２２とともに握って軸線Ｏ周りに回転させれば、装着キャップ１１を回転させることができる。
【００２２】
特に、本形態のように、バンド部３３の両側が自由端３３ｂとして構成されれば、自由端３３ｂが基部３２を基点に内側に変形することにより、カバー２２ごと工具３０を握り易くなる。更に、図４等に示すように、バンド部３３の内周面には、周方向に間隔を置いて複数の縦リブ３４が一体に設けられている。縦リブ３４は、バンド部３３の剛性を高めることでバンド部３３の耐久性を高めている。特に、バンド部３３の剛性が高まることで、バンド部３３を薄肉にすることができる。このように、バンド部３３を薄肉に形成すれば、自由端３３ｂを容易に変形させることができる。加えて、バンド部３３に縦リブ３４を設ければ、工具５０を握ったときも、図５（ｂ）に示すように、カバー２２との接触面積が減少する。このため、バンド部３３を握ることで装着キャップ１１を回転させるとき、バンド部３３がカバー２２に対してスリップし易くなる。このため、本形態のように、縦リブ３４を設ければ、工具３０を握ったまま装着キャップ１１を回転させ易い。
【００２３】
また、本形態では、上述のとおり、バンド部３３に把持部３５が一体に設けられている。このため、把持部３５を摘んで、工具３０の押し込みと引き外しを行えば、工具３０の着脱操作を容易に行うことができる。
【００２４】
上述のとおり、本形態では、装着キャップ１１の下端部を、工具３０を嵌める外観形状を有した嵌め合い部２１に構成し、装着キャップ１１をポンプ機構Ｐに対して回転可能にするとともに、ポンプ機構Ｐのポンプリング１７に、嵌め合い部２１を残して装着キャップ１１を取り囲むカバー２２を設けたことで、嵌め合い部２１に適合する工具３０を持たない第三者は、装着キャップ１１を直接回転させることができない。
【００２５】
これに対し、工具３０を所持する管理者は、図６に示すように、カバー２２の下側から工具３０を差し入れれば、嵌め合い部２１に工具３０を嵌め合わせることで、装着キャップ１１を時計回り又は反時計回りに軸線Ｏ周りに回転させることができる。これにより、装着キャップ１１が上昇すれば、その天壁１１ｂがカバー２２に設けた筒体部２２ｂを介してポンプ機構Ｐ全体を押し上げることで吐出器１０を容器５０から取り外すことができ、反対に下降すれば、吐出器１０を容器５０に取り付けることができる。従って、工具３０を所持する管理者は、装着キャップ１１に設けた嵌め合い部２１を通して、吐出器１０を容器１０に対してねじ付け、或いは、取り外すことができる。
【００２６】
このように、本形態によれば、不正使用による着脱が困難な安全性の高い新規な容器用吐出器を提供することができる。なお、嵌め合い部材２１は、工具３０を嵌めることができれば、その外観形状には、様々な形状を採用することができる。
【００２７】
上述したところは、本発明の様々な実施形態であるが、本発明に従えば、様々な変更が可能となる。例えば、工具３０は、プレート部３１のみで構成することも可能である。但し、この場合、把持部３５は、プレート部３１に一体に設ける。また、ポンプ機構Ｐは例示的なものであり、本形態に制限されることなく、様々な機構のものを採用することができる。容器用吐出器は、泡生成吐出器や噴霧吐出器とすることもできる。
【産業上の利用可能性】
【００２８】
本発明は、容器の口部に取り外し可能にねじ付けられる装着筒と、装着筒を保持するポンプ機構とを備える容器用吐出器であれば、据え置きタイプの容器に限定されることなく、採用することができる。また、内容物についても、シャンプーやリンス、整髪料など、様々なものを採用することができる。
【符号の説明】
【００２９】
１０    容器用吐出器
１１    装着キャップ（装着筒）
１２    シリンダ
１３    吸入パイプ
１４    ポペット
１４ａ  吸入弁
１５    弾性部材
１６    ピストン
１６ａ  ステムシャフト
１７    ポンプリング（上端部材）
１８    ノズルヘッド
１９    排出弁
２０    シール部材
２１    嵌め合い部
２１ａ  平面（八角面）
２２    カバー
３０    工具
３０Ａ  開口部
３１    プレート部
３２    基部
３３    バンド部
３３ａ  固定部分
３３ｂ  自由端
３３ｅ  末端
３４    縦リブ
３５    把持部
【図１】
0005917271.tif 000002
【図２】
0005917271.tif 000003
【図３】
0005917271.tif 000004
【図４】
0005917271.tif 000005
【図５】
0005917271.tif 000006
【図６】
0005917271.tif 000007